(57)【要約】【課題】  包装フィルムや汚れ防止部が厚くても、正面部と底部との境界Ｅに折り目を付けることができるようにした食品用包装袋を提供する。【解決手段】  この食品用包装袋は、重ね合わされている表フィルム１１と裏フィルム１２がシールされることにより形成された袋本体１０と、表フィルム１１の裏面に重ね合わされるクリアシート５０とを備え、前記袋本体１０内にサンドイッチＳが挿入されることによって、表フィルム１１に正面部Ａ、裏フィルム１２に背面部Ｂ、表裏両フィルム１１，１２に跨って一対の側面部Ｃ，Ｃが形成され、開口部１４側の表裏両フィルム１１，１２を折り込んで底部Ｄが形成される。そして、前記クリアシート５０は、前記封止部１３側から正面部Ａと底部Ｄとの境界Ｅまで表フィルム１１に重ね合わされる汚れ防止部５１と、前記境界Ｅから前記封止部１３に向けて重ね合わされる重合部５２とを備えている。【選択図】  図２
2006168816.tif 000002
【特許請求の範囲】
【請求項１】
重ね合わされている２枚の包装フィルムの両側縁と該両側縁を結ぶ一端側との三方がシールされることにより、該一端側に封止部が設けられ、他端側に開口部が設けられた袋本体と、少なくとも前記一方の包装フィルムの裏面に重ね合わされるクリアシートとを備え、前記袋本体内に食品が挿入されることによって、一方の包装フィルムに正面部、他方の包装フィルムに背面部、両方の包装フィルムに跨って一対の側面部が形成され、さらに、両方の包装フィルムの開口部側を折り込んで底部が形成される食品用包装袋において、
前記クリアシートは、前記封止部側から正面部と底部との境界まで一方の包装フィルムに重ね合わされる汚れ防止部と、前記境界から前記封止部に向けて重ね合わされる重合部とを備えていることを特徴とする食品用包装袋。
【請求項２】
前記袋本体から前記封止部を挟んで突出するヘッダ部が前記２枚の包装フィルムによって形成され、
前記クリアシートが前記袋本体内で前記汚れ防止部から分離して前記ヘッダ部内に配置される補強部を備え、該補強部が前記封止部でシールされていることを特徴とする請求項１に記載の食品用包装袋。
【請求項３】
前記クリアシートは、前記補強部に重ね合わされ、かつ、前記封止部でシールされる重合部が備えられていることを特徴とする請求項２に記載の食品用包装袋。
【請求項４】
前記クリアシートは、前記汚れ防止部と重合部とが一体であり、端部が折り返されて重合部が汚れ防止部に重なり合っていることを特徴とする請求項１から３のいずれか一つに記載の食品用包装袋。
【請求項５】
前記クリアシートは、前記汚れ防止部と重合部とが別体であり、両エッジが重なり合って貼着されていることを特徴とする請求項１から３のいずれか一つに記載の食品用包装袋。
【発明の詳細な説明】
【技術分野】
【０００１】
本発明は、サンドイッチやケーキなどの食品（以下、主として「サンドイッチ」という。）を包装フィルムによって包装する食品用包装袋に関し、特に、包装されたサンドイッチの具材によって包装フィルムが汚れないようにするための汚れ防止部を備えている食品用包装袋に関する。
【背景技術】
【０００２】
直角三角形のサンドイッチは、例えば図１０に示すようなサンドイッチ用包装袋（以下、主として「包装袋」という。）に包装され、販売されている。この包装袋は、袋本体１０や汚れ防止シート２０などを備えている。
【０００３】
袋本体１０は、重ね合わされている２枚の台形状の透明な包装フィルム（以下、主として「表フィルム」１１、「裏フィルム」１２という。）の両側縁１１ａ，１２ａと、幅の狭い一端（以下、「上端」という。）付近との三方がシールされることによって形成され、上端付近のシールによって帯状の封止部１３が設けられ、幅の広い他端（以下、「下端」という。）側にサンドイッチＳ（図１１、図１２参照）の挿入口となる開口部１４が設けられている。
【０００４】
そして、表フィルム１１の裏面の中央に、汚れ防止シート２０が重ね合わされ、この下端部と開口部１４付近の表フィルム１１とが例えば２か所でポイントシールＰされている。そして、例えばゆで卵とマヨネーズなどをミックスした具材のサンドイッチＳが袋本体１０内に収納されても、この具材が汚れ防止シート２０に付着する。汚れ防止シート２０は、下端部のみポイントシールＰされ、上側は自由に動くため、サンドイッチＳの動きに追従することにより、表フィルム１１が汚れないようにされている。
【０００５】
また、袋本体１０の上側には、封止部１３を挟んで、突片状に突出したヘッダ部３０が表裏両フィルム１１,１２によって設けられている。ヘッダ部３０は、表裏両フィルム１１,１２の両側縁１１ａ，１２ａのシールと前記封止部１３と上端縁１１ｂ，１２ｂのシールとによって周囲が封止されている。
【０００６】
このヘッダ部３０を構成している裏フィルム１２には、例えば逆Ｕ字形の切込線３１が入れられ、この切込線３１の内側が摘み上げることのできる舌片状の摘み片３２とされている。さらに、裏フィルム１２の内側面には、摘み片３２の位置から封止部１３を交差して開口部１４付近まで、裏フィルム１２を引き裂くための細い帯状の切断手段（以下、「カットテープ」という。）３３が貼着されている。
【０００７】
そして、重ね合わされた表フィルム１１と裏フィルム１２は、図１１に示すように開口部１４が長方形状に開口されることにより、表フィルム１１の中間部分が長方形状の正面部Ａとなり、裏フィルム１２の中間部分が長方形状の背面部Ｂとなり、表フィルム１１および裏フィルム１２の各側縁１１ａ，１２ａに跨った部分が一対の対向する三角形状の側面部Ｃ，Ｃとなり、そして袋本体１０内に空間１０ａが形成される。この空間１０ａ内にサンドイッチＳが挿入されると、三角形状に切られた外側のパンが側面部Ｃと接合し、切り口が正面部Ａと背面部Ｂに接合する。
【０００８】
そして、開口部１４側の表フィルム１１と裏フィルム１２は、図１２に示すように折り込まれて底部Ｄとされ、この底部Ｄは粘着テープ（図示せず）などによって封緘され、サンドイッチＳが包装される。なお、汚れ防止シート２０は、正面部Ａだけでなく、底部Ｄにも回り込んで表フィルム１１と重なり合っている。
【０００９】
そして、包装されたサンドイッチＳを食するには、片方の手の指でヘッダ部３０を摘み、他方の手の指で裏フィルム１２に設けられた摘み片３２を摘んで真っ直ぐ下方向へ引っ張る。すると、カットテープ３３が裏フィルム１２の封止部１３を裁断し、さらに真っ直ぐ下方向に引っ張ることにより、裏フィルム１２を下方へ引き裂く。裏フィルム１２が底部Ｄの方まで引き裂かれることにより、袋本体１０が開封され、サンドイッチＳを取り出すことができる。
【００１０】
なお、袋本体と汚れ防止シートとを備えているサンドイッチ用包装袋が特許文献１に開示されている。
【００１１】
【特許文献１】特開２０００−２９６８９３号公報
【発明の開示】
【発明が解決しようとする課題】
【００１２】
表裏両フィルム１１，１２および汚れ防止シート２０は、低コストで通気性の低い食品包装用のプラスチックフィルム、例えばポリプロピレンなどが使用され、開封性や経済性などの観点から従来、20μｍ程度の厚さとされていた。この程度の厚さのプラスチックフィルムは、表フィルム１１と汚れ防止シート２０が重なり合っていても、正面部Ａと底部Ｄとの境界Ｅが鋭角になるように折り込むことが比較的容易であった。
【００１３】
しかし、近年、ヘッダ部３０が折れ曲がらない、いわゆる首折れしないようにし、また、包装袋に包装されたサンドイッチを掴んだときに、高級感が発揮されるようにするため、例えば40〜80μｍの厚いプラスチックフィルムが使用されつつある。このような厚いプラスチックフィルムは、表フィルム１１と汚れ防止シート２０とが重なり合っていることとも相俟ってスムーズに折り込むことができず、正面部Ａと底部Ｄとの境界Ｅが図１２に示すように円弧状となって一定の位置に設定されない。
【００１４】
すると、包装される個々のサンドイッチが同じ大きさであっても、底部Ｄからヘッダ部３０の頂部までの高さが個々に異なり、サンドイッチＳを包装した包装袋が多数陳列されたときに、不揃いとなる。また、折り込まれていない円弧状の正面部Ａと底部Ｄとの境界Ｅは、変形しやすく、搬送中や陳列中などにおいて、衝撃力が加えられると、包装されたサンドイッチは、型崩れし、商品価値が低下してしまう。
【００１５】
このため、正面部Ａと底部Ｄとの境界Ｅを鋭角に折り込めるように、サンドイッチＳを包装する以前、すなわち包装袋を製造する際に、表フィルム１１と汚れ防止シート２０とに折り目を入れることも考えられる。しかし、包装袋は、表フィルム１１の原反と裏フィルム１２の原反が上下に重ね合わせた状態でリールから繰り出され、ハ字形状のヒータカッターで溶断されることにより、交互に逆向きに製造されることから、表フィルム１１および汚れ防止シート２０に予め折り目を入れることは困難である。
【００１６】
そこで、本発明は、包装フィルムや汚れ防止シートが厚くても、包装フィルムを一定の位置で折り込むことにより、正面部と底部との境界が一定の位置に設定されるようにした食品用包装袋を提供することを課題とする。
【課題を解決するための手段】
【００１７】
本発明に係る食品用包装袋は、重ね合わされている２枚の包装フィルムの両側縁と該両側縁を結ぶ一端側との三方がシールされることにより、該一端側に封止部が設けられ、他端側に開口部が設けられた袋本体と、少なくとも前記一方の包装フィルムの裏面に重ね合わされるクリアシートとを備え、前記袋本体内に食品が挿入されることによって、一方の包装フィルムに正面部、他方の包装フィルムに背面部、両方の包装フィルムに跨って一対の側面部が形成され、さらに、両方の包装フィルムの開口部側を折り込んで底部が形成される食品用包装袋において、前記クリアシートは、前記封止部側から正面部と底部との境界まで一方の包装フィルムに重ね合わされる汚れ防止部と、前記境界から前記封止部に向けて重ね合わされる重合部とを備えていることを特徴としている。
【００１８】
この食品用包装袋によれば、クリアシートの汚れ防止部は、正面部でのみ一方の包装フィルムの裏面に重ね合わされ、底部で重ね合わされない。したがって、一方の包装フィルムのみが折り曲げられて、正面部と底部とが形成される。また、正面部と底部との境界から封止部に向けて１層または２層以上の重合部が重ね合わされ、この重合部と汚れ防止部との境目が正面部と底部との境界に位置することにより、この重合部が当て板のようになって、一方の包装フィルムが折り込まれ、正面部と底部との境界が一定の位置に設定される。
【００１９】
なお、クリアシートは、他方の包装フィルムの裏面にも重ね合わされるようにしてもよい。このクリアシートは、汚れ防止部が底部となる他方の包装フィルムの裏面に重ね合わされず、背面部となる他方の包装フィルムでのみ重ね合わされて柱のようになり、また、重合部が背面部と底部との境界から封止部に向けて１層または２層以上に重ね合わされて当て板のようになり、背面部と底部との境界を一定の位置で折り込むことができる。
【００２０】
また、前記本発明に係る食品用包装袋において、前記袋本体から前記封止部を挟んで突出するヘッダ部が前記２枚の包装フィルムによって形成され、前記クリアシートが前記袋本体内で前記汚れ防止部から分離して前記ヘッダ部内に配置される補強部を備え、該補強部が前記封止部でシールされていることが好ましい。
【００２１】
この食品用包装袋によれば、ヘッダ部を備えた食品用包装袋において、クリアシートが前記汚れ防止部から分離した補強部を備え、この補強部がヘッダ部内に配置されることにより、ヘッダ部内の補強部が芯地のようになり、ヘッダ部を強靭にすることができる。また、補強部が封止部でシールされることにより、ヘッダ部が折れ曲がりにくいようにすることができる。なお、汚れ防止部と補強部とが袋本体内で分離されることにより、汚れ防止部が袋本体内で動くことができるようにされる。
【００２２】
また、前記本発明に係る食品用包装袋において、前記クリアシートは、前記補強部に重ね合わされ、かつ、前記封止部でシールされる重合部が備えられていることが好ましい。
【００２３】
この食品用包装袋によれば、ヘッダ部を備えた食品用包装袋において、前記補強部に１層または２層以上に重合部が重ね合わされ、この重合部が封止部にシールされることにより、ヘッダ部が封止部から、より一層折れ曲がりにくいようにすることができる。
【００２４】
また、前記本発明に係る食品用包装袋において、前記クリアシートは、前記汚れ防止部と重合部とが一体であり、端部が折り返されて重合部が汚れ防止部に重なり合っていることが好ましい。
【００２５】
この食品用包装袋によれば、クリアシートの端部が折り返されることによって、汚れ防止部に重なり合う重合部が設けられるため、１枚のクリアシートから汚れ防止部と重合部とを容易に形成することができる。
【００２６】
また、前記本発明に係る食品用包装袋において、前記クリアシートは、前記汚れ防止部と重合部とが別体であり、両エッジが重なり合って貼着されていてもよい。
【００２７】
この食品用包装袋によれば、クリアシートは、別体の汚れ防止部と重合部とが貼着され、しかも、汚れ防止部と重合部との両エッジが重なり合っていることにより、汚れ防止部と重合部との境目がシャープになり、包装フィルムをより一層折り込みやすくすることができる。
【発明の効果】
【００２８】
本発明によれば、食品用包装袋は、クリアシートが重なり合う汚れ防止部と重合部とを備え、この境目が正面部と底部との境界に位置することにより、重合部が当て板のようになって、正面部と底部との境界で一方の包装フィルムを折り込むことができる。したがって、正面部と底部との境界が一定となり、食品を包装した本発明に係る食品用包装袋は高さが一致し、頂部が揃うように陳列することができる。また、正面部と底部との境界が折り込まれ、折り目が付けられることにより、この境界に外力が加えられても変形しにくくなり、包装された食品が型崩れせず、商品価値が低下しないようにすることができる。
【発明を実施するための最良の形態】
【００２９】
本発明に係る食品用包装袋の一実施形態について、図１から図９を参照しながら説明する。なお、従来と同一部分は、同一符号を付して説明する。
【００３０】
本実施形態の食品用包装袋（包装袋）は、食品、例えば三角形状のサンドイッチＳを包装するもので、図１に示すように従来と同様、重ね合わされている２枚の台形状の包装フィルム（表フィルム１１、裏フィルム１２）がシールされることによって袋本体１０とヘッダ部３０が形成され、袋本体１０とヘッダ部３０との境界のシールによって封止部１３が設けられている。
【００３１】
そして、両フィルム１１，１２がシールされないで設けられる開口部１４が長方形状に開口され、袋本体１０内にサンドイッチＳが挿入されると、表フィルム１１の中間部に長方形状の正面部Ａ、裏フィルム１２の中間部に長方形状の背面部Ｂ、表フィルム１１と裏フィルム１２に跨って一対の三角形状の側面部Ｃ，Ｃがそれぞれ設けられ、さらに開口部１４側の表フィルム１１と裏フィルム１２とが折り込まれることによって底部Ｄが設けられる。
【００３２】
このような包装袋は、正面部Ａとなる部位の表フィルム１１の裏面にクリアシート５０が重ね合わされる。本実施形態におけるクリアシート５０は、前記封止部１３付近から正面部Ａと底部Ｄとの境界Ｅまで配置される汚れ防止部５１と、この汚れ防止部５１の一方の端部（下端部）に１層または２層以上に重ね合わされる帯状の重合部５２とを備えている。この汚れ防止部５１と重合部５２との境目５３が正面部Ａと底部Ｄとの境界Ｅに位置し、重合部５２は底部Ｄとなる部位の表フィルム１１には重ね合わされていない。この汚れ防止部５１、重合部５２そして表フィルム１１が重なり合っている部位は、例えば２か所のポイントシールＰなどによって貼着されている。
【００３３】
また、クリアシート５０の他方の端部（上端部）には、図１および図２に示すように、汚れ防止部５１から分離して、ヘッダ部３０内に配置される補強部５４が設けられている。汚れ防止部５１は、袋本体１０内の封止部１３付近で補強部５４から分離し、サンドイッチＳの動きに追従し、表フィルム１１が具材によって汚れないようにされている。
【００３４】
そして、ヘッダ部３０内の補強部５４は芯地のようになり、ヘッダ部３０が強靭なものとされる。また、補強部５４の下端部は、封止部１３でシールされ、折れ曲がりにくいようにされている。さらに、補強部５４には、図３に示すように、１層または２層以上の重合部５５が重ね合わされ、この重合部５５も封止部１３にシールされることにより、ヘッダ部３０が封止部１３で折れ曲がらないようにすることもできる。
【００３５】
ここで、このようなクリアシート５０の形成方法について説明する。ヘッダ部３０内に配置される補強部５４に重合部５５を重ね合わせないクリアシート５０は、図４（ａ）の仮想線に示すように、汚れ防止部帯１５１の両側縁に重合部帯１５２，１５２を設けた原反１５０の両側縁を、図４（ａ）の実線に示すように裏面方向に折り返し、各重合部帯１５２，１５２を汚れ防止部帯１５１に重ね合わせた帯状シート１５５から形成され、あるいは図４（ｂ）の仮想線に示すように、汚れ防止部帯１５１のみの原反１５０の裏面側の両側縁に帯状テープ１５３，１５３を貼着することによって、図４（ｂ）の実線に示すように汚れ防止部帯１５１の両側縁に重合部帯１５２，１５２を重ね合わせた帯状シート１５５から形成される。
【００３６】
また、補強部５４に重合部５５を重ね合わせるクリアシート５０は、図５（ａ）の仮想線に示すように、汚れ防止部帯１５１の両側縁に重合部帯１５２，１５２を設けた原反１５０の両側縁を、図５（ａ）の実線に示すように同一方向に折り返し、重合部帯１５２，１５２を汚れ防止部帯１５１に重ね合わせるとともに、汚れ防止部帯１５１の中心線上に帯状テープ１５３を貼着して３本の重合部帯１５２，１５２，１５２を設けた帯状シート１５５から形成され、あるいは図５（ｂ）の仮想線に示すように、汚れ防止部帯１５１のみの原反１５０の裏面側の両側縁と中心線上とに帯状テープ１５３，１５３，１５３を貼着することによって、図５（ｂ）の実線に示すように３本の重合部帯１５２，１５２，１５２を設けた帯状シート１５５から形成される。
【００３７】
そして、図４（ａ）、図５（ａ）に示すように、重合部帯１５２を折り返して汚れ防止部帯１５１に重ね合わせた帯状シート１５５は、重合部帯１５２と汚れ防止部帯１５１との境目がシャープとなるように折り目が付けられ、また、重合部帯１５２と汚れ防止部帯１５１とは、重ね合わされた状態を維持するように貼着される。この貼着は、ポイントシールやストライプシールなどで熱溶着するもの、あるいは全面にパートコート剤などの接着剤を塗布するものなど限定するものではない。
【００３８】
また、重合部帯１５２は、図示したように原反１５０の両側縁を１回のみ折り返すと１層だけ設けられ、経本折りまたはアコーデオン折りと呼ばれる外折りにより、２層以上設けることができる。
【００３９】
一方、図４（ｂ）、図５（ｂ）に示すように、重合部帯１５２を帯状テープ１５３によって設けるときは、帯状テープ１５３のエッジ１５３ａと汚れ防止部帯１５１のエッジ１５１ａとが一致するように重ね合わされる。そして、帯状テープ１５３は、好ましくは同じ幅のものを複数枚積層することにより、２層以上の重合部帯１５２を設けることができる。
【００４０】
このように重合部帯１５２を重ね合わせた汚れ防止部帯１５１の幅は、クリアシート５０の長さの２倍とされ、中心線で二分割され、そして幅方向に切断されることにより、クリアシート５０が形成される。したがって、いずれの汚れ防止部帯１５１の中心線にも、切込１５６が入れられている。また、汚れ防止部帯１５１の中心線上に重合部帯１５２が重なり合っているときは、この重合部帯１５２の中心線にも切込１５６が入れられている。
【００４１】
そして、汚れ防止部帯１５１の裏面に重合部帯１５２を重ね合わせた帯状シート１５５は、図６に示すリール１６１に巻き取られる。帯状シート１５５は、汚れ防止帯１５１の両側縁に重合部帯１５２が重ね合わされているため、帯状シート１５５は、円錐形に偏肉してリール１６１に巻き取られない。特に、汚れ防止部帯１５１の中心線上に重合部帯１５２が設けられている帯状シート１５５は、中心線の部分が窪むことがなく、円柱状に巻き取られる。
【００４２】
そして、リール１６１に巻き取られた帯状シート１５５は、クリアシート供給機（図示せず）によって切断され、クリアシート５０が形成される。このクリアシート５０は、表フィルム１１の原反１１１の裏面に貼着される。表フィルム１１の原反１１１は、図６に示すように、水平方向に搬送される裏フィルム１２の原反１１２の上側を蛇行して搬送される。したがって、表フィルム１１の原反１１１の裏面が上向きとなる位置があり、この位置でクリアシート５０が貼着される。
【００４３】
ただし、包装袋は図７に示すように、重なり合った表フィルム１１の原反１１１と裏フィルム１２の原反１１２に、二字形の端部ヒータ１２１とハ字形のヒータカッター１２２が接離することによって製造される。したがって、表フィルム１１と裏フィルム１２の両原反１１１，１１２の両側部にヘッダ部３０と開口部１４とが交互に連続して形成される、換言すれば包装袋が交互に逆向きに形成される。ここでは、上流から下流の方を見たときに、ヘッダ部３０が、右側にある包装袋を右向きといい、左側にある包装袋を左向きという。
【００４４】
一方、帯状シート１５５は、図８および図９に示すように、汚れ防止部帯１５１の両側縁に重合部帯１５２が形成され、切込１５６が形成された中心線で切断され、そして、幅方向に切断されるため、帯状シート１５５の左側部分と右側部分とにクリアシート５０が２枚ずつ連続して形成される。リール１６１から繰り出された帯状シート１５５を上流から下流の方を見たときに、切断された右側のクリアシート５０が左向きの包装袋となる部位に貼着され、切断された左側のクリアシート５０が右向きの包装袋となる部位に貼着される。
【００４５】
また、クリアシート５０は、ヘッダ部３０内に配置される補強部５４と汚れ防止部５１とに分離される。したがって、クリアシート供給機は、リールから繰り出される帯状シート１５５を中心線の切込１５６で長さ方向に切断し、補強部５４と汚れ防止部５１とを形成するように長さ方向に切断し、そして幅方向にも切断してクリアシート５０を形成し、さらに、このクリアシート５０を表フィルム１１の原反１１１の搬送方向に向かって左右に振り分け、クリアシート５０と表フィルム１１の原反１１１とをポイントシールする機能を備えている。
【００４６】
なお、汚れ防止部帯１５１の中心線上に重合部帯１５２が設けられた帯状シート１５５の場合は、当然、中心線上の汚れ防止部帯１５１も切断される。また、クリアシート５０は汚れ防止部５１と重合部５２とが既に貼着されているが、この貼着部分に重ねて表フィルム１１の原反１１１とポイントシールＰしてもよいし、異なる部位にポイントシールＰしてもよい。
【００４７】
そして、切断されて形成された補強部５４も、表フィルム１１の原反１１１にポイントシールＰされ、搬送されている表フィルム１１の原反１１１から脱落しないようにされている。また、補強部５４に重合部５５が重なり合っているときは、補強部５４と重合部５５とが表フィルム１１の原反１１１にポイントシールＰされる。このようにして表フィルム１１の原反１１１の裏面にクリアシート５０が貼着される。なお、補強部５４に重合部５５が重ね合わされている実施形態について、以下、「（そして重合部５５）」と記載する。
【００４８】
他方、裏フィルム１２の原反１１２の裏面には、図６に示すように、リール１６２から繰り出されるカットテープ３３の原反１１３を切断して形成されたカットテープ３３が貼着される。そして、表フィルム１１と裏フィルム１２の両原反１１１，１１２は、図７に示すように重ね合わされ、二字形の端部ヒータ１２１とハ字形のヒータカッター１２２が接離することにより、包装袋が交互に逆向きとなって製造される。
【００４９】
この包装袋は、正面部Ａと底部Ｄとの境界Ｅにクリアシート５０の汚れ防止部５１と重合部５２との境目５３が位置するようにクリアシート５０が表フィルム１１に貼着され、ヘッダ部３０内に補強部５４（そして重合部５５）が収納されている。また、補強部５４（そして重合部５５）は、二字型の端部ヒータによって封止部１３にシールされる。
【００５０】
このような包装袋の開口部１４から袋本体１０内にサンドイッチＳを挿入すると、袋本体１０に正面部Ａ、背面部Ｂ、側面部Ｃ，Ｃが設けられ、開口部１４側の表フィルム１１と裏フィルム１２を折り込むことによって底部Ｄが設けられる。このとき、表フィルム１１が40μｍ以上の厚いプラスチックフィルムで形成されていても、重合部５２が当て板のようになるため、正面部Ａと底部Ｄとの境界Ｅは、鋭角に折り込まれ、一定の位置に設定される。したがって、この包装袋は、サンドイッチＳが収納され、多数個が陳列されたときに高さが揃い、また、正面部Ａと底部Ｄとの境界Ｅに外力が加えられても変形しにくくなる。
【００５１】
そして、この包装袋のヘッダ部３０内には補強部５４（そして重合部５５）が収納されているため、ヘッダ部３０が折れ曲がらないようにされている。したがって、ヘッダ部３０に商標などが付されていても、商標などが目に付く状態が維持される。
【００５２】
なお、本発明は、前記の実施形態に限定することなく、特許請求の範囲に記載した技術的事項の範囲内において種々変更することができる。例えば、クリアシート５０は、カットテープ３３がない背面部Ｂにも配置されるようにしてもよい。このクリアシート５０は、汚れ防止部５１が背面部Ｂを構成する部分の裏フィルム１２の裏面に重ね合わされ、重合部５２が背面部Ｂと底部Ｄとの境界Ｅから封止部１３に向けて前記汚れ防止部５１に重ね合わされる。この汚れ防止部５１と重合部５２との境目５３が背面部Ｂと底部Ｄとの境界Ｅに位置することにより、背面部Ｂと底部Ｄとの境界Ｅに折り目を付けることができる。
【００５３】
また、本発明の食品用包装袋は、ヘッダ部３０を備えていないものでも実施することができ、さらに、直角三角形状のサンドイッチＳに限定することなく、四角形状のケーキその他の各種の食品を包装するものとしても使用することができる。
【図面の簡単な説明】
【００５４】
【図１】本発明に係る食品用包装袋の一実施形態を示す正面図である。
【図２】本発明に係る食品用包装袋の一実施形態を示す側面断面図である。
【図３】本発明に係る食品用包装袋の図２と異なる実施形態を示す側面断面図である。
【図４】本発明に係る食品用包装袋の実施形態であって、（ａ）はクリアシートの原反を示す側面図、（ｂ）は（ａ）と異なるクリアシートの原反を示す側面図である。
【図５】本発明に係る食品用包装袋の図４と異なる実施形態であって、（ａ）はクリアシートの原反を示す側面図、（ｂ）は（ａ）と異なるクリアシートの原反を示す側面図である。
【図６】本発明に係る食品用包装袋を製造する一実施形態の工程を示す概略正面図である。
【図７】食品用包装袋を製造する工程を示す概略斜視図である。
【図８】本発明に係る食品用包装袋を製造する工程の一実施形態を示す概略斜視図である。
【図９】本発明に係る図８と異なる食品用包装袋を製造する工程の一実施形態を示す概略斜視図である。
【図１０】従来の食品用包装袋の正面図である。
【図１１】従来の食品用包装袋の斜視図である。
【図１２】従来の食品用包装袋の側面断面図である。
【符号の説明】
【００５５】
１０…袋本体
１１…包装フィルム（表フィルム）
１２…包装フィルム（裏フィルム）
１３…封止部
１４…開口部
３０…ヘッダ部
５０…クリアシート
５１…汚れ防止部
５２…重合部
５３…境目
５４…補強部
５５…重合部
Ａ…正面部
Ｂ…背面部
Ｃ…側面部
Ｄ…底部
Ｅ…境界
Ｓ…食品（サンドイッチ）
【図１】
2006168816.tif 000003
【図２】
2006168816.tif 000004
【図３】
2006168816.tif 000005
【図４】
2006168816.tif 000006
【図５】
2006168816.tif 000007
【図６】
2006168816.tif 000008
【図７】
2006168816.tif 000009
【図８】
2006168816.tif 000010
【図９】
2006168816.tif 000011
【図１０】
2006168816.tif 000012
【図１１】
2006168816.tif 000013
【図１２】
2006168816.tif 000014